(57)【特許請求の範囲】
【請求項１】
建物の基礎の上面に、互いに離間して複数載置される基礎載置具と、
複数の前記基礎載置具に架設される架設レールと、を備え、
前記基礎載置具は、前記架設レールの下方に延設方向に沿って離間して複数設けられており、
前記架設レールには、外壁パネルを連結固定する外壁固定部が、当該架設レールの延設方向に沿って離間して複数設けられていることを特徴とする外壁取付具。
【請求項２】
請求項１に記載の外壁取付具において、
前記架設レールは、前記外壁パネルに当接する鉛直部を備えており、前記鉛直部に前記外壁固定部が設けられていることを特徴とする外壁取付具。
【請求項３】
請求項２に記載の外壁取付具において、
前記鉛直部は、前記基礎の外周面より外側に位置していることを特徴とする外壁取付具。
【請求項４】
請求項１から３のいずれか一項に記載の外壁取付具において、
前記架設レールは、前記外壁パネルが載置される水平部を備えることを特徴とする外壁取付具。
【請求項５】
請求項１から４のいずれか一項に記載の外壁取付具において、
前記基礎載置具は、前記架設レールに固定される鉛直面とされた側端面を有する第一部と、前記基礎に固定される水平面を有する第二部とを備える断面略Ｌ字状に形成されていることを特徴とする外壁取付具。
【請求項６】
請求項１から５のいずれか一項に記載の外壁取付具において、
前記架設レールは、前記建物の外装材を取り付け可能な下垂部を備えることを特徴とする外壁取付具。
【請求項７】
請求項１から６のいずれか一項に記載の外壁取付具を用いた外壁取付構造において、
前記架設レールが架設された前記基礎載置具が基礎に載置され、
前記外壁パネルが、前記架設レールに設けられた前記外壁固定部に固定されていることを特徴とする外壁取付構造。
【請求項８】
請求項６を引用する請求項７に記載の外壁取付構造において、
前記下垂部に前記外装材が取り付けられていることを特徴とする外壁取付構造。
【請求項９】
請求項７又は８に記載の外壁取付構造において、
前記基礎の上面に柱が立設されており、
前記柱は前記基礎に固定されるベースプレートを備え、
前記基礎載置具が前記ベースプレートに載置固定されていることを特徴とする外壁取付構造。
【請求項１０】
建物の基礎の上面に、互いに離間して複数載置される基礎載置具と、
複数の前記基礎載置具に架設される架設レールと、を備え、
前記架設レールには、外壁パネルを連結固定する外壁固定部が複数設けられている外壁取付具を用いた外壁取付構造において、
前記架設レールが架設された前記基礎載置具が前記基礎に載置され、
前記外壁パネルが、前記架設レールに設けられた前記外壁固定部に固定されており、
前記基礎の上面に柱が立設されており、
前記柱は前記基礎に固定されるベースプレートを備え、
前記基礎載置具が前記ベースプレートに載置固定されていることを特徴とする外壁取付構造。
【請求項１１】
請求項１０に記載の外壁取付構造において、
前記架設レールは、前記外壁パネルに当接する鉛直部を備えており、前記鉛直部に前記外壁固定部が設けられていることを特徴とする外壁取付構造。
【請求項１２】
請求項１１に記載の外壁取付構造において、
前記鉛直部は、前記基礎の外周面より外側に位置していることを特徴とする外壁取付構造。
【請求項１３】
請求項１０から１２のいずれか一項に記載の外壁取付構造において、
前記架設レールは、前記外壁パネルが載置される水平部を備えることを特徴とする外壁取付構造。
【請求項１４】
請求項１０から１３のいずれか一項に記載の外壁取付構造において、
前記基礎載置具は、前記架設レールに固定される鉛直面とされた側端面を有する第一部と、前記基礎に固定される水平面を有する第二部とを備える断面略Ｌ字状に形成されていることを特徴とする外壁取付構造。
【請求項１５】
請求項１０から１４のいずれか一項に記載の外壁取付構造において、
前記架設レールは、前記建物の外装材を取り付け可能な下垂部を備えることを特徴とする外壁取付構造。
【請求項１６】
請求項１５に記載の外壁取付構造において、
前記下垂部に前記外装材が取り付けられていることを特徴とする外壁取付構造。
【発明の詳細な説明】
【技術分野】
【０００１】
本発明は、外壁取付具および外壁取付構造に関する。
【背景技術】
【０００２】
ユニット式建物では、外壁パネルを取り付ける際、建物基礎に載置固定されたユニット式建物の床梁の前に外壁パネルの下端部を固定して取り付けている。
一方、特許文献１に示したように、ユニット式建物ではなく鉄骨軸組の建物においては、建物基礎の上に床梁がない場合があり、外壁パネルを床梁に固定する代わりに、接続プレートを柱前方に固定し、この接続プレートに外壁パネルを位置決めするフレームを取り付けている。このとき、接続プレートと建物基礎との間にボルト受けプレートが設けられている。こうすることで、外壁パネルを床梁の代わりに柱に固定している。
【先行技術文献】
【特許文献】
【０００３】
【特許文献１】特開２０１４−１２５７７７号公報
【発明の概要】
【発明が解決しようとする課題】
【０００４】
しかしながら、特許文献１に記載の外壁構造では、建物基礎に固定された柱の前方（建物の外側方向）に接続プレートを固定し、この接続プレートと建物基礎との間にボルト受けプレートを設けて外壁パネルの重量を支持している。
このため、建物基礎には、柱の前方にボルト受けプレートを載置するスペースを設ける必要があり、外壁構造が複雑なものとなってしまう。また、柱の前方にボルト受けプレートの設置スペースを設けなければならないため、柱に対して建物基礎が出張った構成となってしまう。
また、特許文献１に記載の取付構造では、外壁パネルを取り付ける箇所に対応して、逐一、接続プレート等を建物基礎に設置しなければならず、取付構造が複雑なだけでなく、外壁パネルを取り付ける作業までもが煩雑なものとなってしまう。
【０００５】
本発明は、上記課題に鑑みてなされたもので、外壁パネルを、建物の外周のうち床梁がない箇所に対して、簡易な構成で、かつ、簡易に取り付けることを目的とする。
【課題を解決するための手段】
【０００６】
上記課題を解決するため、請求項１に記載の発明は、外壁取付具４であり、例えば図１、図２に示すように、建物１の基礎２の上面２ａに、互いに離間して複数載置される基礎載置具４１と、複数の前記基礎載置具４１に架設される架設レール４２と、を備え、前記基礎載置具４１は、前記架設レール４２の下方に延設方向に沿って離間して複数設けられており、前記架設レール４２には、外壁パネル５を連結固定する外壁固定部４２ｃが、当該架設レール４２の延設方向に沿って離間して複数設けられていることを特徴とする。
【０００７】
請求項１に記載の発明によれば、建物１の基礎２の上面２ａに、互いに離間して複数載置される基礎載置具４１と、複数の前記基礎載置具４１に架設される架設レール４２と、を備え、前記架設レール４２には、外壁パネル５を連結固定する外壁固定部４２ｃが設けられているので、基礎載置具４１を基礎２に載置固定し、基礎２と外壁取付具４とを固定することができ、さらに、固定された外壁取付具４を外壁固定部４２ｃにおいて外壁パネル５と固定することができる。
このため、外壁パネル５は外壁取付具４を介して基礎２に取り付けられるので、外壁パネル５の荷重を基礎２にそのまま伝えることができ、床梁がない箇所においても、外壁取
付具４を基礎２に固定さえすれば、外壁パネル５を建物１に取り付けることができる。
また、基礎載置具４１は、架設レール４２の下方に延設方向に沿って離間して複数設けられており、架設レール４２には外壁固定部４２ｃが当該架設レール４２の延設方向に沿って離間して複数設けられているので、外壁パネル５がどのような割付になっていたとしても適宜都合の良い外壁固定部４２ｃを選択して外壁パネル５を固定することができる。
以上のように外壁取付具４を用いることで、外壁パネル５を、建物１の床梁がない箇所に対して、簡素な構成で、かつ、簡易に取り付けることができる。
【０００８】
請求項２に記載の発明は、請求項１に記載の外壁取付具４において、例えば図１に示すように、前記架設レール４２は、前記外壁パネル５に当接する鉛直部４２ａを備えており、前記鉛直部４２ａに前記外壁固定穴４２ｃが設けられていることを特徴とする。
【０００９】
請求項２に記載の発明によれば、架設レール４２は、外壁パネル５に当接する鉛直部４２ａを備えており、鉛直部４２ａに外壁固定穴４２ｃが設けられているので、外壁パネル５を鉛直部４２ａに当接させて位置決めした状態で安定させて建物１に取り付けることができる。
また、鉛直部４２ａに外壁固定穴４２ｃが設けられているので、外壁パネル５を架設レール４２に固定する作業を鉛直面に対して行うことができる。これによって、例えば、外壁パネル５の下面５ｂ側から固定作業を行うよりも容易に外壁パネル５を架設レール４２に固定することができる。
【００１０】
請求項３に記載の発明は、請求項２に記載の外壁取付具４において、例えば図１に示すように、前記鉛直部４２ａは、前記基礎２の外周面より外側に位置していることを特徴とする。
請求項３に記載の発明によれば、外壁取付具４の鉛直部４２ａが、基礎２の外周面より外側に位置しているので、鉛直部４２ａに固定された外壁パネル５の取付位置を、基礎２の外周面より外側に設定することができる。
【００１１】
請求項４に記載の発明は、請求項１から３のいずれか一項に記載の外壁取付具４において、例えば図１に示すように、前記架設レール４２は、前記外壁パネル５が載置される水平部４２ｂを備えることを特徴とする。
請求項４に記載の発明によれば、架設レール４２は、外壁パネル５が載置される水平部４２ｂを備えているので、水平部４２ｂに外壁パネル５を載置することができ、外壁パネル５を安定させて建物１に取り付けることができる。
【００１２】
請求項５に記載の発明は、請求項１から４のいずれか一項に記載の外壁取付具４において、例えば図３、図４に示すように、前記基礎載置具４１は、前記架設レール４２に固定される鉛直面とされた側端面を有する第一部４１ａと、前記基礎２に固定される水平面を有する第二部４１ｂとを備える断面略Ｌ字状に形成されていることを特徴とする。
請求項５に記載の発明によれば、基礎載置具４１が、架設レール４２に固定される鉛直面とされた側端面を有する第一部４１ａと、基礎２に固定される水平面を有する第二部４１ｂとを備える断面略Ｌ字状に形成されているので、第二部４１ｂを、固定される架設レール４２と第一部４１ａとから離れた位置において、基礎２に固定することができる。
【００１３】
請求項６に記載の発明は、請求項１から５のいずれか一項に記載の外壁取付具４において、例えば図１、図２に示すように、前記架設レール４２は、前記建物１の外装材を取り付け可能な下垂部４２ｄを備えることを特徴とする。
請求項６に記載の発明によれば、架設レール４２は、建物１の外装材を取り付け可能な下垂部４２ｄを備えているので、外壁取付具４を用いることで、外壁パネル５だけでなく、建物１の外装材をも取り付けることができる。
ここで、建物１の外装材としては、例えば、水切り、換気スリットを形成する換気部材または建物１の審美性を向上させる化粧部材などが挙げられる。
【００１４】
請求項７に記載の発明は、請求項１から６のいずれか一項に記載の外壁取付具４を用いた外壁取付構造において、例えば図１および図３〜図６に示すように、前記架設レール４２が架設された前記基礎載置具４１が前記基礎２に載置され、前記外壁パネル５が、前記架設レール４２に設けられた前記外壁固定部４２ｃに固定されることを特徴とする。
請求項７に記載の発明によれば、架設レール４２が架設された基礎載置具４１が基礎２に載置され、外壁パネル５が、架設レール４２に設けられた外壁固定部４２ｃに固定されるので、外壁取付具４を用いることで、外壁パネル５を基礎２に取り付けられるので、外壁パネル５の荷重を基礎２にそのまま伝えることができ、床梁がない箇所においても、外壁取付具４を基礎２に固定することで外壁パネル５を建物１に取り付けることができる。
このため、外壁パネル５を、建物１の床梁がない箇所に対して、簡素な構成で、かつ、簡易に取り付けることができる。
また、架設レール４２には、外壁パネル５の割付に対応して選択して固定できるよう当該架設レール４２の延設方向に沿って離間して外壁固定部４２ｃが複数設けられているので、外壁パネル５がどのような割付になっていたとしても適宜都合の良い外壁固定部４２ｃを選択して外壁パネル５を固定することができる。
【００１５】
請求項８に記載の発明は、請求項６を引用する請求項７に記載の外壁取付構造において、例えば図１に示すように、前記下垂部４２ｄに前記外装材６が取り付けられていることを特徴とする。
請求項８に記載の発明によれば、架設レール４２の下垂部４２ｄに外装材６が取り付けられているので、架設レール４２に固定した外壁パネル５の下方の、基礎２に干渉されない空間Ｓを利用して、架設レール４２の下垂部４２ｄに外装材６を取り付けることができる。
【００１６】
請求項９に記載の発明は、請求項７又は８に記載の外壁取付構造において、例えば図１、図３〜図６に示すように、前記基礎２の上面２ａに柱３１が立設されており、前記柱３１は前記基礎２に固定されるベースプレート３１ａを備え、前記基礎載置具４１が前記ベースプレート３１ａに載置固定されることを特徴とする。
請求項９に記載の発明によれば、基礎２の上面２ａに柱３１が立設されており、柱３１は基礎２に固定されるベースプレート３１ａを備え、基礎載置具４１がベースプレート３１ａに載置固定されるので、基礎載置具４１がベースプレート３１ａを介した状態で基礎２に固定される。
このため、ベースプレート３１ａが取り付けられたアンカーボルト２２を共有することで、基礎載置具４１を基礎２に固定するためのアンカーボルトを省略することができる。
このため、外壁取付具４を容易に基礎２に固定することができ、建物１の外周１ａに容易に外壁パネル５を取り付けることができる。
【００１７】
請求項１０に記載の発明は、例えば図１〜図６に示すように、
建物１の基礎２の上面２ａに、互いに離間して複数載置される基礎載置具４１と、
複数の前記基礎載置具４１に架設される架設レール４２と、を備え、
前記架設レール４２には、外壁パネル５を連結固定する外壁固定部４２ｃが複数設けられている外壁取付具４を用いた外壁取付構造において、
前記架設レール４２が架設された前記基礎載置具４１が前記基礎２に載置され、
前記外壁パネル５が、前記架設レール４２に設けられた前記外壁固定部４２ｃに固定されており、
前記基礎２の上面２ａに柱３１が立設されており、
前記柱３１は前記基礎２に固定されるベースプレート３１ａを備え、
前記基礎載置具４１が前記ベースプレート３１ａに載置固定されていることを特徴とする。
請求項１０に記載の発明によれば、建物１の基礎２の上面２ａに、互いに離間して複数載置される基礎載置具４１と、複数の前記基礎載置具４１に架設される架設レール４２と、を備え、前記架設レール４２には、外壁パネル５を連結固定する外壁固定部４２ｃが設けられているので、基礎載置具４１を基礎２に載置固定し、基礎２と外壁取付具４とを固定することができ、さらに、固定された外壁取付具４を外壁固定部４２ｃにおいて外壁パネル５と固定することができる。
このため、外壁パネル５は外壁取付具４を介して基礎２に取り付けられるので、外壁パネル５の荷重を基礎２にそのまま伝えることができ、床梁がない箇所においても、外壁取
付具４を基礎２に固定さえすれば、外壁パネル５を建物１に取り付けることができる。
また、架設レール４２には外壁固定部４２ｃが複数設けられているので、外壁パネル５がどのような割付になっていたとしても適宜都合の良い外壁固定部４２ｃを選択して外壁パネル５を固定することができる。
以上のように外壁取付具４を用いることで、外壁パネル５を、建物１の床梁がない箇所に対して、簡素な構成で、かつ、簡易に取り付けることができる。
そして、架設レール４２が架設された基礎載置具４１が基礎２に載置され、外壁パネル５が、架設レール４２に設けられた外壁固定部４２ｃに固定されるので、外壁取付具４を用いることで、外壁パネル５を基礎２に取り付けられるので、外壁パネル５の荷重を基礎２にそのまま伝えることができ、床梁がない箇所においても、外壁取付具４を基礎２に固定することで外壁パネル５を建物１に取り付けることができる。
このため、外壁パネル５を、建物１の床梁がない箇所に対して、簡素な構成で、かつ、簡易に取り付けることができる。
また、架設レール４２には外壁固定部４２ｃが複数設けられているので、外壁パネル５がどのような割付になっていたとしても適宜都合の良い外壁固定部４２ｃを選択して外壁パネル５を固定することができる。
さらに、基礎２の上面２ａに柱３１が立設されており、柱３１は基礎２に固定されるベースプレート３１ａを備え、基礎載置具４１がベースプレート３１ａに載置固定されるので、基礎載置具４１がベースプレート３１ａを介した状態で基礎２に固定される。
このため、ベースプレート３１ａが取り付けられたアンカーボルト２２を共有することで、基礎載置具４１を基礎２に固定するためのアンカーボルトを省略することができる。
このため、外壁取付具４を容易に基礎２に固定することができ、建物１の外周１ａに容易に外壁パネル５を取り付けることができる。
請求項１１に記載の発明は、
請求項１０に記載の外壁取付構造において、
前記架設レールは、前記外壁パネルに当接する鉛直部を備えており、前記鉛直部に前記外壁固定部が設けられていることを特徴とする。
請求項１２に記載の発明は、
請求項１１に記載の外壁取付構造において、
前記鉛直部は、前記基礎の外周面より外側に位置していることを特徴とする。
請求項１３に記載の発明は、
請求項１０から１２のいずれか一項に記載の外壁取付構造において、
前記架設レールは、前記外壁パネルが載置される水平部を備えることを特徴とする。
請求項１４に記載の発明は、
請求項１０から１３のいずれか一項に記載の外壁取付構造において、
前記基礎載置具は、前記架設レールに固定される鉛直面とされた側端面を有する第一部と、前記基礎に固定される水平面を有する第二部とを備える断面略Ｌ字状に形成されていることを特徴とする。
請求項１５に記載の発明は、
請求項１０から１４のいずれか一項に記載の外壁取付構造において、
前記架設レールは、前記建物の外装材を取り付け可能な下垂部を備えることを特徴とする。
請求項１６に記載の発明は、
請求項１５に記載の外壁取付構造において、
前記下垂部に前記外装材が取り付けられていることを特徴とする。
【発明の効果】
【００１８】
本発明によれば、外壁パネルを、建物の床梁がない箇所に対して、簡易な構成で、かつ、簡易に取り付けることができる。
【図面の簡単な説明】
【００１９】
【図１】本発明の実施形態に係る外壁取付構造の縦断面図である。
【図２】ａ）本発明の実施形態に係る外壁取付具の平面図である。ｂ）本発明の実施形態に係る外壁取付具の正面図である。ｃ）本発明の実施形態に係る外壁取付具の側面図である。
【図３】図１の外壁取付構造の一部を示した縦断面図である。
【図４】図１の外壁取付構造の一部を示した横断面図である。
【図５】図１の外壁取付構造の一部を示した側断面図である。
【図６】図１の外壁取付構造の一部を示した縦断面図である。
【図７】図１の外壁取付構造の一部を示した側断面図である。
【図８】本発明の実施形態に係る建物の入隅についての外壁取付構造の一部を示した平面図である。
【発明を実施するための形態】
【００２０】
以下、図面を参照して本発明の実施の形態について説明する。ただし、以下に述べる実施形態には、本発明を実施するために技術的に好ましい種々の限定が付されているが、本発明の技術的範囲を以下の実施形態および図示例に限定するものではない。
【００２１】
図１に示すように、建物１は、基礎２と、この基礎２の上面２ａに載置固定された躯体３と、建物１の外周１ａに沿って設けられた外壁パネル５と、この外壁パネル５を基礎２に取付固定する外壁取付具４と、外壁パネル５の下方に設けられた水切り６と、で構成されている。
【００２２】
基礎２は、建物１の外周１ａに沿って延設された基礎本体２１と、複数のアンカーボルト２２と、で構成されている。
基礎本体２１は、地面の上に平面視枠状となるように、かつ、上面２ａが水平となるように形成されている。
複数のアンカーボルト２２は、それぞれ基礎本体２１に、鉛直方向に延びるように、かつ、基礎本体２１の延設方向に沿って間隔を空けて並ぶように打ち込まれている。また、それぞれのアンカーボルト２２の頭部２２ａは基礎本体２１の上面２ａから突出している。
【００２３】
図１および図４に示すように、躯体３は、柱３１、ＡＬＣパネル３２等で構成されている。
柱３１は、基礎本体２１の上面２ａに離間して複数立設されており、下端部が基礎２に載置固定される矩形平板状のベースプレート３１ａを備えている。
このベースプレート３１ａには柱３１の横両側（外周１ａに沿う方向）に設けられた、アンカーボルト２２が挿通される２つのアンカー挿通穴３１ｂと、これらアンカー挿通穴３１ｂの前後（建物１の外側と内側と）それぞれに基礎載置具４１が固定される４つの取付挿通穴３１ｃとが設けられている。
そして、２つのアンカー挿通穴３１ｂに上面２ａから突出したアンカーボルト２２の頭部２２ａをそれぞれ挿通してナットで締め付けることで、ベースプレート３１ａを基礎本体２１に固定している。
ＡＬＣパネル３２は、建物１の床を構成する部材で、アンカー挿通穴３１ｂの上側において固定された支持プレートＰに複数箇所において支持されている。
【００２４】
図１、２および図４に示すように、外壁取付具４は、建物１の外周１ａに沿って配置された基礎２の上面２ａに互いに離間して載置固定される複数の基礎載置具４１と、これら複数の基礎載置具４１に架設される架設レール４２と、を備えている。
基礎載置具４１は、ベースプレート３１ａの取付挿通穴３１ｃにおいて上側から固定されることで基礎本体２１に固定されている。こうして基礎載置具４１は離間して立設された柱３１の外周１ａ側ではなく柱３１の間に設けられる。
基礎載置具４１は、架設レール４２の下方に延設方向に沿って離間して複数設けられている。この基礎載置具４１は断面が略Ｌ字状に形成された金属片であり、鉛直面を有し、その側面が架設レール４２と溶接固定された第一部４１ａと、ベースプレート３１ａと固定された水平面を有し、第一部４１ａの下端から水平方向に設けられた第二部４１ｂとが形成されている。
また、第二部４１ｂは架設レール４２と第一部４１ａとから離れた位置に固定穴４１ｃが形成されており、この固定穴４１ｃと外周１ａ側の取付挿通穴３１ｃとにボルトを挿通してベースプレート３１ａと固定されている。
【００２５】
架設レール４２は、断面が略Ｌ字状に形成された長尺の金属レールであり、外壁パネル５が外周１ａ側から当接する鉛直面を有する鉛直部４２ａと、この鉛直部４２ａの下端から水平方向に設けられ、外壁パネル５を支持する水平面を有する水平部４２ｂとが形成されている。
また、鉛直部４２ａには外壁パネル５を固定する外壁固定穴４２ｃが架設レール４２の延設方向に沿って離間して複数設けられている。この外壁固定穴４２ｃは、ボルトを挿通可能な穴であり、この穴を通じて鉛直部４２ａと外壁パネル５とを固定する箇所である。
【００２６】
基礎載置具４１と架設レール４２とは、それぞれ第一部４１ａと鉛直部４２ａとがそれぞれの面を直交させるように溶接固定されており、具体的には、鉛直部４２ａに第一部４１ａの厚み方向側面が溶接固定されている。
また、第一部４１ａは、鉛直部４２ａの下方に位置し、水平部４２ｂより下側に突出しており、第二部４１ｂは、水平部４２ｂより下側に位置している。
また、第二部４１ｂと水平部４２ｂとは、水平方向において鉛直部４２ａを挟んで隣接して配置されている。
【００２７】
水平部４２ｂには、外壁パネル５を支持する支持面（上面）の裏側（下面）に後述する水切り６を取り付け可能な下垂部４２ｄが架設レール４２の延設方向に沿って間隔をあけて並ぶように複数設けられている。
この下垂部４２ｄは、水平面と鉛直面とを有する断面が略Ｌ字状に形成されており、水平面が水平部４２ｂの下面に溶接固定され、鉛直面が水平部４２ｂから垂下するように設けられている。
【００２８】
図１に示すように、外壁パネル５は、その下面５ｂが水平部４２ｂに支持されることで架設レール４２に載置され、これと同時に外壁パネル５の裏面５ｃが鉛直部４２ａに建物１の外周１ａ側から当接する。
このとき、鉛直部４２ａに当接した外壁パネル５は、外壁固定穴４２ｃを介して鉛直部４２ａとボルトで締め付けられることで、架設レール４２と固定される。
これにより、外壁パネル５は架設レール４２において外壁取付具４と固定され、架設レール４２は、基礎載置具４１を介して基礎２と固定される。つまり、外壁パネル５は、外壁取付具４を介して基礎２に荷重を伝えることとなる。
【００２９】
水切り６は、外壁パネル５の下面５ｂのうち基礎２の外周面２ｂよりも外側に位置する箇所に、外壁パネル５の幅方向（図１の紙面に直交する方向）に延設されている。水切り６は、水切り本体６１と、防虫部６４とで構成されている。
【００３０】
水切り本体６１は、支持部６２と、カバー部６３と、で構成されている。
支持部６２は、外壁取付具４の水平部４２ｂから鉛直下方に垂下された下垂部４２ｄの外側を向く面に固定されている。カバー部６３は、支持部６２に係合することで支持されている。
また、防虫部６４は、カバー部６３と基礎２との間を塞ぐ部材であり、虫が通過できない程度のスリットが残るように設けられる。
【００３１】
図３に示すように、外壁パネル５は、架設レール４２を介して、ベースプレート３１ａに載置固定された基礎載置具４１に取り付けられている。このため、外壁パネル５は、少なくとも基礎載置具４１の図３の紙面左右方向の寸法分だけ柱３１から水平方向外側に離間して配置されることとなる。
このため、外壁パネル５と柱３１との間に隙間Ｎが設けられ、例えば、この隙間Ｎに断熱材や耐火材などが設置できるようになっている。また、図示はしないが、柱３１は、その周囲が耐火被覆材によって覆われている。
【００３２】
また、図１の紙面左右方向において、基礎載置具４１の寸法が外周１ａ側の取付挿通穴３１ｃから外周面２ｂまでの寸法より長いので、基礎載置具４１の左側が外周面２ｂよりも左側（外側）まで出張っている。この基礎載置具４１の外周１ａ側に鉛直部４２ａが溶接固定されており、鉛直部４２ａの下端から外周１ａ方向へと水平部４２ｂが設けられている。
このため、外壁パネル５は、建物１の外周１ａとなる側面５ａが基礎２の外周面２ｂよりも外側に出ている。すなわち、外壁パネル５の下方には少なくとも一部（本実施形態では全体）が基礎２に干渉されない空間Ｓが確保されている。そして、この空間Ｓには、水平部４２ｂから垂下する下垂部４２ｄが設けられているので、ここに水切り６を取り付けられるようになっている。
【００３３】
図４に示すように、建物１の外周１ａに沿って直列配置される外壁取付具４は、直列する２つの架設レール４２間において架設レール４２のそれぞれの端部に位置する基礎載置具４１が基礎２に載置固定された一つのベースプレート３１ａにそれぞれ載置固定されている。すなわち、一つのベースプレート３１ａを共有して複数の外壁取付具４が固定されている。
【００３４】
また、図７に示すように、柱３１が立設されていない箇所については、ベースプレート３１ａの代わりに、ベースプレート３１ａと同様の厚み寸法の矩形平板上のスペーサ３１ｄが基礎２の上面２ａに載置固定されている。このスペーサ３１ｄは、中心に１つのアンカー挿通穴３１ｂが設けられ、建物１の外側方向と内側方向とにそれぞれ１つずつ合わせて２つの取付挿通穴３１ｃが設けられている。
そして、この取付挿通穴３１ｃと固定穴４１ｃとをボルトで固定することでスペーサ３１ｄと基礎載置具４１とが固定されている。
【００３５】
図５に示すように、架設レール４２の端部に設けられた下垂部４２ｄが架設レール４２の延設方向に突出して設けられている。
このため、直列配置された架設レール４２の継ぎ目においても、それぞれの下垂部４２ｄが架設レール４２の延設方向に突出しているので、架設レール４２が途切れる箇所においても水切り６を取り付け可能となっている。
【００３６】
図６に示すように、上部外壁取付具７は、断面が略Ｌ字状に形成された長尺の金属部材であって、外壁パネル５の裏面５ｃに当接する鉛直面を有する第一板部７１と、躯体３の一部を構成する天井梁３３と当接する水平面を有する第二板部７２と、を備えている。
第一板部７１は、裏面５ｃとの当接面においてボルトにより固定され、第二板部７２も同様に、天井梁３３と当接する箇所においてボルトにより固定されている。
これにより、外壁パネル５は、その上端部が上部外壁取付具７を介して天井梁３３に固定されている。
【００３７】
図８に示すように、建物１の入隅において、直角に配置される基礎本体２１の上面２ａに柱３１のベースプレート３１ａと、このベースプレート３１ａの図８紙面下側に隣接配置されるスペーサ３１ｄとが載置固定される。
基礎載置具４１は、第二部４１ｂが矩形平板の短辺とこの短辺を底辺とする台形を組み合わせた形状となっている。そして、この台形部分に固定穴４１ｃが設けられている。  ２つの基礎載置具４１は、それぞれの台形部分の斜辺を合わせて、それぞれの矩形部分が直角に配置されるように隣接配置される。
また、これらの基礎載置具４１は、それぞれの固定穴４１ｃの一方がベースプレート３１ａの取付挿通穴３１ｃと、他方がスペーサの取付挿通穴３１ｃと固定されている。
【００３８】
架設レール４２は、２つの基礎載置具４１の第一部４１ａとそれぞれ直交して溶接固定され、架設レール４２同士も直交している。そして、これらの直交する架設レール４２に外壁パネル５がそれぞれ取り付けられることとなるが、これらの外壁パネル５がそれぞれの架設レール４２に対して同様の位置に取り付けられるのではなく、所定寸法分ずれて設けられる。このため、２つの外壁パネル５のうち一方が入隅において勝って設けられ、他方が負けて設けられるようになっている。
【００３９】
以上のように、本実施の形態によれば、図１〜６に示したように、建物１の外周１ａに沿って配置された基礎２の上面２ａに、互いに離間して複数載置される基礎載置具４１と、複数の基礎載置具４１に架設される架設レール４２と、を備え、架設レール４２には、外壁パネル５を連結固定する外壁固定穴４２ｃが複数設けられているものとした。
こうすることで、基礎載置具４１を基礎２に載置固定し、基礎２と外壁取付具４とを固定することができ、さらに、固定された外壁取付具４を外壁固定穴４２ｃにおいて外壁パネル５と固定することができる。
このため、外壁パネル５は外壁取付具４を介して基礎２に取り付けられるので、外壁パネル５の荷重を基礎２にそのまま伝えることができ、床梁がない箇所においても、外壁取付具４を基礎２に固定さえすれば、外壁パネル５を建物１に取り付けることができる。
また、外壁取付具４を介して外壁パネル５の荷重を基礎２に伝えることができるので、柱３１の前方に外壁パネル５の荷重を受けるためのスペースが不要であり、基礎２が外周１ａ方向に出張らずにすみ、外壁パネル５の下方に空間Ｓを確保することができる。  また、架設レール４２には外壁固定穴４２ｃが複数設けられているので、外壁パネル５がどのような割付になっていたとしても適宜都合の良い外壁固定穴４２ｃを選択して外壁パネル５を固定することができる。
例えば、図８に示したように、建物１の入隅において、外壁パネル５を勝ち負け分だけずらす場合などでも、何ら架設レール４２の構成を変更せずとも容易に取り付けることができる。
以上のように外壁取付具４を用いることで、外壁パネル５を、建物１の外周１ａのうち床梁がない箇所に対して、簡素な構成で、かつ、簡易に取り付けることができる。
【００４０】
また、本実施形態では、図１および図３〜５に示したように、架設レール４２は、外壁パネル５に当接する鉛直部４２ａを備えており、この鉛直部４２ａに外壁固定穴４２ｃが設けられているものとした。
こうすることで、外壁パネル５を鉛直部４２ａに当接させて位置決めした状態で安定して建物１に取り付けることができる。
また、鉛直部４２ａに外壁固定穴４２ｃが設けられているので、外壁パネル５を架設レール４２に固定する作業を鉛直面に対して行うことができる。これによって、例えば、外壁パネル５の下面５ｂ側から固定作業を行うよりも容易に外壁パネル５を架設レール４２に固定することができる。
【００４１】
また、本実施形態では、図１および図３〜５に示したように、架設レール４２は、外壁パネル５が載置される水平部４２ｂを備えるものとした。
こうすることで、水平部４２ｂに外壁パネル５を載置することができ、外壁パネル５を安定させて建物１に取り付けることができる。
【００４２】
また、本実施形態では、図１〜６に示したように、図１の紙面左右方向において、基礎載置具４１の寸法が外周１ａ側の取付挿通穴３１ｃから外周面２ｂまでの寸法より長いので、基礎載置具４１の左側（外側）が外周面２ｂよりも外側まで出張っている。そして、この基礎載置具４１の外周１ａ側に鉛直部４２ａが溶接固定されており、鉛直部４２ａの下端から外周１ａ方向へと水平部４２ｂが設けられ、この水平部４２ｂに下垂部４２ｄが設けられている。
こうすることで、外壁パネル５は、建物１の外周１ａとなる側面５ａを基礎２の外周面２ｂよりも外側に出すことができる。このため、外壁パネル５の下方には少なくとも一部（本実施形態では全体）が基礎２に干渉されない空間Ｓを確保することができる。
さらに、この空間Ｓには、水平部４２ｂから垂下する下垂部４２ｄが設けられているので、ここに水切り６を取り付けることができる。
【００４３】
また、本実施形態では、図１〜６に示したように、架設レール４２が架設された基礎載置具４１が基礎２に載置され、外壁パネル５が、架設レール４２に設けられた外壁固定穴４２ｃに固定されるものとした。
架設レール４２には外壁固定穴４２ｃが複数設けられているので、外壁パネル５がどのような割付になっていたとしても適宜都合の良い外壁固定穴４２ｃを選択して外壁パネル５を固定することができる。
例えば、図８に示したように、建物１の入隅において、外壁パネル５を勝ち負け分だけずらす場合などでも、何ら架設レール４２の構成を変更せずとも容易に取り付けることができる。
以上のように外壁取付具４を用いることで、外壁パネル５を、建物１の外周１ａのうち床梁がない箇所に対して、簡素な構成で、かつ、簡易に取り付けることができる。
【００４４】
また、本実施形態では、図１および図３〜５に示したように、基礎２の上面２ａに柱３１が立設されており、柱３１は基礎２に固定されるベースプレート３１ａを備え、基礎載置具４１がベースプレート３１ａに載置固定されるものとした。
こうすることで、アンカーボルト２２に固定されたベースプレート３１ａに基礎載置具４１を固定するので、アンカーボルト２２をベースプレート３１ａと基礎載置具４１とで共有することができ、基礎載置具４１を基礎２に固定するためのアンカーボルトを省略することができる。
以上のように外壁取付具４を用いることで、外壁パネル５を、建物１の外周１ａのうち床梁がない箇所に対して、簡易な構成で、かつ、簡易に取り付けることができる。
【００４５】
また、本実施形態では、図１、図３および図４に示したように、外壁パネル５が架設レール４２および基礎載置具４１を介してベースプレート３１ａに取り付けられているので、外壁パネル５が少なくとも基礎載置具４１の図３の紙面左右方向の寸法分だけ柱３１から水平方向外側に離間して配置されることとなる。
こうすることで、外壁パネル５と柱３１との間に隙間Ｎを形成することができ、例えば、この隙間Ｎに断熱材や耐火材などを設置することができる。
【００４６】
また、本実施形態では、図１、図３および図４に示したように、基礎載置具４１の図３の紙面左右方向の寸法は、外周１ａ側の取付挿通穴３１ｃから基礎２の外周面２ｂまでの寸法よりも長くなっているので、寸法が長い分だけ架設レール４２が基礎２の外周面２ｂよりも外側に設けられることとなる。
こうすることで、架設レール４２に設けられた下垂部４２ｄも同様に基礎２の外周面２ｂよりも外側に位置させることができる。このため、下垂部４２ｄの下方において基礎２が干渉しない空間Ｓを形成することができ、この空間Ｓにおいて水切り６を取り付けることができる。
【００４７】
また、本実施形態では、図４および図５に示したように、建物１の外周１ａに沿って直列配置される外壁取付具４は、直列する２つの架設レール４２の間において、架設レール４２のそれぞれの端部に位置する基礎載置具４１が基礎２に載置固定された一つのベースプレート３１ａに載置固定されている。
こうすることで、一つのベースプレート３１ａを共有して複数の外壁取付具４を基礎２に固定することができ、例えば、基礎載置具４１の数だけベースプレート３１ａを設ける必要がなく、躯体３の構成を簡易なものとすることができる。
【００４８】
また、本実施形態では、図７に示したように、柱３１が立設されていない箇所において、ベースプレート３１ａの代わりに、ベースプレート３１ａと同様の厚み寸法のスペーサ３１ｄが設けられ、基礎載置具４１と固定されている。
こうすることで、架設レール４２の撓みを抑えることができ、例えば、地震等により建物１に水平力が加わった場合でも、外壁パネル５のずれを防ぐことができる。
【００４９】
また、本実施形態では、図４および図５に示したように、直列配置された２つの架設レール４２の端部に設けられた下垂部４２ｄが架設レール４２の延設方向に突出して設けられている。
こうすることで、直列配置された架設レール４２の継ぎ目においても、それぞれの下垂部４２ｄが架設レール４２の延設方向に突出しているので、架設レール４２が途切れる箇所においても水切り６を取り付けることができる。
【００５０】
以上、本発明を実施形態に基づいて具体的に説明してきたが、本発明は上記実施形態に限定されるものではなく、その要旨を逸脱しない範囲で変更可能である。
本実施形態では、下垂部４２ｄに水切り６を取り付けるとしたが、これに限らず、例えば、換気スリットを形成する換気部材、または、建物１の審美性を向上させる化粧部材などをとりつけてもよく、建物１の外装材となるものであればいずれでもよい。
【００５１】
また、本実施形態では、下垂部４２ｄは水平部４２ｂの裏面に断面がＬ字状の部材を取り付けて設けたが、これに限らず、例えば、水平部４２ｂの先端から鉛直下方に垂下する一体のものとしてもよく、下垂部４２ｄを介して外壁取付具４に取り付けられる構成であればいずれでもよい。
【００５２】
また、本実施形態では、基礎載置具４１がベースプレート３１ａにボルトで固定されるとしたが、これに限らず、例えば、基礎載置具４１とベースプレート３１ａとを溶接して固定してもよい。
また、本実施形態では、基礎載置具４１を断面が略Ｌ字状の金属片としたが、これに限らず、例えば、断面がコ字状でも矩形状でもよい。
【００５３】
また、本実施形態では、下垂部４２ｄを水平部４２ｂに間隔を開けて複数設けるとしたが、これに限らず、架設レール４２に対応する長尺の部材としてもよい。
また、本実施形態では、外壁パネル５は、鉛直部４２ａと当接する箇所において固定するとしたが、これに限らず、例えば、外壁固定穴４２ｃを穴とせずに、フック状のものとし、これと対応する外壁パネル５の箇所にもフック状のものを設け、係合固定する構成としてもよい。
【符号の説明】
【００５４】
１     建物
１ａ   外周
２     基礎
２ａ   上面
２ｂ   外周面
３     躯体
４     外壁取付具
５     外壁パネル
５ａ   側面
５ｂ   下面
５ｃ   裏面
６     水切り
７     上部外壁取付具
２１   基礎本体
２２   アンカーボルト
２２ａ 頭部
３１   柱
３１ａ ベースプレート
３１ｂ アンカー挿通穴
３１ｃ 取付挿通穴
３２   ＡＬＣパネル
３３   天井梁
４１   基礎載置具
４１ａ 第一部
４１ｂ 第二部
４１ｃ 固定穴
４２   架設レール
４２ａ 鉛直部
４２ｂ 水平部
４２ｃ 外壁固定穴
４２ｄ 下垂部
６１   本体
６２   支持部
６３   カバー部
６４   防虫部
７１   第一板部
７２   第二板部
Ｎ     隙間
Ｐ     支持プレート
Ｓ     空間
【図１】
0006453174.tif 000002
【図２】
0006453174.tif 000003
【図３】
0006453174.tif 000004
【図４】
0006453174.tif 000005
【図５】
0006453174.tif 000006
【図６】
0006453174.tif 000007
【図７】
0006453174.tif 000008
【図８】
0006453174.tif 000009